(57)【要約】【課題】迅速且つ安価に機器情報をユーザに提供することができ、かつ、機器の使用状況やユーザからの機器への要望情報を容易且つ安価に収集する。【解決手段】医療機関１００は、内視鏡手術システム等を構成する複数の製品（医療機器）１０４と、院内ＬＡＮを介してインターネット１０１に接続されたシステムコントローラ２２とを有しており、システムコントローラ２２は上記各製品（医療機器）１０４のの機器情報の提供を可能とするパスワードをユーザのユーザ登録に基づいて発行する例えば医療機器の製造・販売会社が運営するサービスセンター１０３と接続され、システムコントローラ２２及びサービスセンター１０３とより医療機器情報提供システムを構築している。【選択図】  図２
2004157606.tif 000002
【特許請求の範囲】
【請求項１】
購入した医療機器のユーザ登録を行うユーザ登録手段と、
前記ユーザ登録したユーザにパスワードを発行するパスワード発行手段と、
前記パスワードを前記医療機器に入力する入力手段と、
前記パスワード入力手段により入力された前記パスワードに基づき前記医療機器に関する情報を通信回線を通じて提供する情報提供手段と
を備えたことを特徴とする医療機器情報提供システム。
【請求項２】
前記医療機器の取扱方法を教育する教育ソフトを起動する教育ソフト起動手段と、
前記教育ソフト起動手段により起動した前記教育ソフトを教育内容の理解度をチェックする理解度チェック手段と、
前記理解度チェック手段がチェックした理解度を判定する理解度判定手段と、
前記理解度判定手段の判定結果に基づき前記パスワードの発行を制御するパスワード発行制御手段と
を備えたことを特徴とする請求項１に記載の医療機器情報提供システムシステム。
【発明の詳細な説明】
【０００１】
【発明の属する技術分野】
本発明は、医療機器の情報を通信ネットを介して提供するす医療機器情報提供システムに関する。
【０００２】
【従来の技術】
病院等の医療機関においては、種々の医療機器を購入し、患者の検査、処置、手術等が行われている。
【０００３】
これら医療機器としては、例えば患者を検査する電子内視鏡装置、超音波診断装置、患者を処置・治療する電気メス装置、超音波処置装置、気腹装置等がある。
【０００４】
これら装置も複数の機器から構成され、例えば電子内視鏡装置は、電子内視鏡、光源装置及びビデオプロセッサ等の複数の電子機器から構成される。
【０００５】
また、内視鏡下で手術を実施する、内視鏡手術システムでは、例えば特開平９−３１９４０９号公報に示されるように、集中制御装置により複数の医療機器（内視鏡装置、電気メス装置、超音波処置装置、気腹装置等）が管理され、これらの医療機器を適正に設定・操作することで手術がなされる。
【０００６】
【特許文献１】
特開平９−３１９４０９号公報
【０００７】
【発明が解決しようとする課題】
しかしながら、医療機器の近年の進歩により機能が多岐にわたり、ユーザに取扱に関する注意点の公開や、最新の機器情報の提供を迅速且つ低コストで行うことが難しいといった問題がある。
【０００８】
さらに、製造・販売側にとっては、機器を納品したユーザ側での機器の使用状況やユーザからの機器への要望は機器の開発にとって重要な情報であるが、これら情報はユーザ側に出向いて収集するのでは、時間的にもコスト的にも問題があり、容易且つ安価に情報を収集することが難しいといった問題もある。
【０００９】
本発明は、上記事情に鑑みてなされたものであり、迅速且つ安価に機器情報をユーザに提供することができ、かつ、機器の使用状況やユーザからの機器への要望情報を容易且つ安価に収集することのできる医療機器情報提供システムを提供することを目的としている。
【００１０】
【課題を解決するための手段】
本発明の医療機器情報提供システムは、購入した医療機器のユーザ登録を行うユーザ登録手段と、前記ユーザ登録したユーザにパスワードを発行するパスワード発行手段と、前記パスワードを前記医療機器に入力する入力手段と、前記パスワード入力手段により入力された前記パスワードに基づき前記医療機器に関する情報を通信回線を通じて提供する情報提供手段とを備えて構成される。
【００１１】
【発明の実施の形態】
以下、図面を参照しながら本発明の実施の形態について述べる。
【００１２】
図１ないし図１３は本発明の第１の実施の形態に係わり、図１は内視鏡手術システムの構成を示す構成図、図２は図１の内視鏡手術システムを有する医療機関に対して構築される医療機器情報提供システムの構成を示す構成図、図３は図２の医療機器情報提供システムの作用を説明するフローチャート、図４は図３の処理で製品（医療機器）１０４の表示部に表示されるパスワード入力画面を示す図、図５は図３の処理で製品（医療機器）の表示部に表示されるメインメニュー画面を示す図、図６は図３の処理で製品（医療機器）の表示部に表示されるＦＡＱ画面を示す図、図７は図３の処理で製品（医療機器）の表示部に表示される製品取説画面を示す図、図８は図３の処理で製品（医療機器）の表示部に表示される新製品情報画面を示す図、図９は図３の処理で製品（医療機器）の表示部に表示される第１のアンケート入力画面を示す図、図１０は図３の処理で製品（医療機器）の表示部に表示される最終アンケート入力画面を示す図、図１１は図３の処理で製品（医療機器）の表示部に表示される専門科目別医師用メインメニュー画面を示す図、図１２は図３の処理で製品（医療機器）の表示部に表示される学会情報画面を示す図、図１３は図３の処理で製品（医療機器）の表示部に表示されるナース用メインメニュー画面を示す図である。
【００１３】
（構成）
本実施の形態では、医療機器の機器情報の提供を可能とするパスワードを発行し、パスワードを有するユーザに適切な機器情報を迅速且つ安価に提供すると共に、機器の使用状況やユーザからの機器への要望情報を容易且つ安価に収集することを特徴とする。
【００１４】
本実施の形態の医療機器として、図１に示すような病院等の医療機関に販売・配置される内視鏡手術システム３を構成する各機器を例に説明する。
【００１５】
図１に示すように、手術室２内には、患者４８が横たわる患者ベッド１０と、内視鏡手術システム３とが配置される。この内視鏡手術システム３は、第１カート１１及び第２カート１２を有している。
【００１６】
第１カート１１には、医療機器として例えば電気メス１３、気腹装置１４、内視鏡用カメラ装置１５、光源装置１６及びＶＴＲ１７等の装置類と、二酸化炭素等を充填したガスボンベ１８が載置されている。内視鏡用カメラ装置１５はカメラケーブル３１ａを介して第１の内視鏡３１に接続される。光源装置１６はライトガイドケーブル３１ｂを介して第１の内視鏡３１に接続される。
【００１７】
また、第１カート１１には、表示装置１９、集中表示パネル２０、操作パネル２１等が載置されている。表示装置１９は、内視鏡画像等を表示する例えばＴＶモニタである。
【００１８】
集中表示パネル２０は、術中のあらゆるデータを選択的に表示させることが可能な表示手段となっている。操作パネル２１は、例えば７セグメント表示器とＬＥＤ等の表示部とこの表示部上に設けられたスイッチにより構成され、非滅菌域にいる看護婦等が操作する集中操作装置になっている。
【００１９】
さらに、第１カート１１には、システムコントローラ２２が載置されている。このシステムコントローラ２２には、上述の電気メス１３と気腹装置１４と内視鏡用カメラ装置１５と光原装置１６とＶＴＲ１７とが、図示しない通信線を介して例えばＲＳ−２３２Ｃ等のシリアル通信規格で接続されている。このシステムコントローラ２２には、通信コントローラ６３が内蔵されており、通信ケーブル６４を介して、図２に示す通信回路９に接続されている。また、システムコントローラ２２は通信ケーブル６５を介して院内ＬＡＮに接続されている。
【００２０】
一方、前記第２カート１２には、内視鏡用カメラ装置２３、光源装置２４、画像処理装置２５、表示装置２６及び第２集中表示パネル２７とが載置されている。
【００２１】
内視鏡用カメラ装置２３はカメラケーブル３２ａを介して第２の内視鏡３２に接続される。光源装置２４はライトガイドケーブル３２ｂを介して第２の内視鏡３２に接続される。
【００２２】
表示装置２６は、内視鏡用カメラ装置２３でとらえた内視鏡画像等を表示する。第２集中表示パネル２７は、術中のあらゆるデータを選択的に表示させることが可能になっている。
【００２３】
これら内視鏡用カメラ装置２３と光源装置２４と画像処理装置２５とは、第２カート１２に載置された中継ユニット２８に図示しない通信線を介して接続されている。そして、この中継ユニット２８は、中継ケーブル２９によって、上述の第１カート１１に搭載されているシステムコントローラ２２に接続されている。
【００２４】
したがって、システムコントローラ２２は、これらの第２カート１２に搭載されているカメラ装置２３、光源装置２４及び画像処理装置２５と、第１カート１１に搭載されている電気メス１３、気腹装置１４、カメラ装置１５、光源装置１６及びＶＴＲ１７とを集中制御するようになっている。このため、システムコントローラ２２とこれらの装置との間で通信が成立している場合、システムコントローラ２２は、上述の操作パネル２１の液晶ディスプレイ上に、接続されている装置の設定状態や操作スイッチ等の設定画面を表示させると共に、所望の操作スイッチに触れて所定領域のタッチセンサを操作することによって設定値の変更等の操作入力を行うことができる。
【００２５】
リモートコントローラ３０は、滅菌域にいる執刀医等が操作する第２集中操作装置であり、通信が成立している他の装置をシステムコントローラ２２を介して操作することができるようになっている。
【００２６】
図２に示すように、本実施の形態の病院等の医療機関１００は、内視鏡手術システム３等を構成する上記製品（医療機器）１０４の他に、上述したように例えば院内ＬＡＮを介してインターネット１０１に接続されたシステムコントローラ２２を有しており、システムコントローラ２２は上記各製品（医療機器）１０４の機器情報の提供を可能とするパスワードをユーザのユーザ登録に基づいて発行する例えば医療機器の製造・販売会社が運営するサービスセンター１０３と接続され、システムコントローラ２２及びサービスセンター１０３とより本実施の形態の医療機器情報提供システムを構築している。
【００２７】
（作用）
次に本実施の形態の製品（医療機器）１０４の医療機器情報提供システムの作用について説明する。
【００２８】
図３に示すように、ステップＳ１で製品（医療機器）１０４の電源をオンし、ステップＳ２でサービスセンター１０３にインターネット１０１を介してアクセスする。
【００２９】
そして、ステップＳ３で製品（医療機器）１０４が自らの機種名、機種識別ＩＤ（シリアルナンバ）等の機種情報をサービスセンター１０３に送信する。このステップＳ３の処理によりサービスセンター１０３では、製品（医療機器）１０４が使用された回数及び電源オフまでの使用時間を機種識別ＩＤ単位で管理することが可能となり、使用回数及び使用時間に基づき、例えばユーザにメンテナンス情報を提供したり、ネットを介した機器のテストを行う。
【００３０】
ステップＳ４で図４に示すようなパスワード入力画面１１０を製品（医療機器）１０４の表示部（図示せず）に表示しキーボード（図示せず）等によるパスワードの入力を待ち、正しいパスワードが入力されるとステップＳ９に進み、ステップＳ５でパスワード入力画面１１２上の「今すぐ登録」ボタンが選択されると、ステップＳ６で図示しない登録画面にてパスワード提供のためのユーザ登録手続きがなされる。このユーザ登録手続きは、ユーザの住所、電話番号、Ｅ−メールアドレス、勤務地情報である医療機関の情報（所在地、電話番号、勤務部署）、勤務地での勤務形態（医師（専門科目情報を含む）、ナース、技師等）等の情報からなり、これら情報を登録することでなされる。
【００３１】
ユーザ登録手続きが終了すると、ステップＳ７でパスワードが発行され、ステップＳ８で製品（医療機器）１０４にパスワードを入力すると、ステップＳ９で後述する機器に関する情報及び関連医療情報の提供サービスが開始され、機器に関する情報及び関連医療情報の閲覧後に、ステップＳ１０で製品（医療機器）１０４を使用する。
【００３２】
ステップＳ９での機器に関する情報及び関連医療情報の提供サービスでは、製品（医療機器）１０４の表示部に図５に示すようなメインメニュー画面１１１を表示する。このメインメニュー画面１１１上の所望の項目を選択することで、画面が展開され、種々の情報を閲覧することができる。例えばメインメニュー画面１１１上の「１．製品＊＊＊についてのＦＡＱ」項目を選択すると、図６に示すようなＦＡＱ画面１１２が製品（医療機器）１０４の表示部に表示される。
【００３３】
また、例えばメインメニュー画面１１１上の「５．製品＊＊＊関連の取扱説明書について」項目を選択すると、図７に示すような製品取説画面１１３が表示される。さらに例えば製品取説画面１１３上で「−１．接続できる新製品のお知らせ」項目を選択すると、図８に示すような新製品情報画面１１４が表示される。
【００３４】
また、例えばメインメニュー画面１１１上の「６．アンケート」項目を選択すると、図９に示すような第１のアンケート入力画面１１５が表示され、第１のアンケート入力画面１１５で質問に対する答えを入力し、「次へ」ボタンをクリックすることで、第２のアンケート入力画面１１５，第３のアンケート入力画面１１５、‥、‥へと順次展開され、最終的に例えば図１０に示すような最終アンケート入力画面１１６が表示される。これらアンケートの回答は最終アンケート入力画面１１６での「はい」ボタンをクリックすることで、サービスセンター１０３に送信され、機器に関するユーザの情報を統計的に収集することが可能となる。
【００３５】
さらに、例えばメインメニュー画面１１１上の「７．サービスセンターへの質問メール」項目を選択すると、図示はしないがメールソフトが起動し、サービスセンターへ質問メールを送信することができる。これによりユーザへのきめ細かな対応が可能となるばかりでなく、製品（医療機器）１０４への具体的な要望や不満をデータとして取り込むことが可能となり、製品開発やバージョンアップの貴重な情報を容易且つ安価に収集することができ、これら情報をアンケート等のフィードバックすることにより、これら情報の優先度を統計的に把握することもできる。
【００３６】
（効果）
このように本実施の形態では、機器の電源がオンされると、機種名、機種識別ＩＤ（シリアルナンバ）等の機種情報が自動的にサービスセンター１０３に送信されるので、容易且つ安価に機器の使用状況を管理・把握することができる。
【００３７】
また、アンケートや質問メールを受け付けることで、迅速且つ安価に機器情報をユーザに提供することができ、かつ、ユーザからの機器への要望情報等を容易且つ安価に収集することができる。
【００３８】
なお、本実施の形態では、パスワードを入力したユーザ全てに同様な機器に関する情報及び関連医療情報の提供サービスを行うとしたが、これに限らず、例えばパスワードを入力したユーザの勤務形態が登録情報から例えばＤｒ．（医師）であるならば、図１１に示すような専門科目別医師用メインメニュー画面１１７により情報を提供する。例えばこの専門科目別医師用メニュー画面１１７上で「２．学会情報」項目を選択すると、図１２に示すような学会情報画面１１８が表示される。
【００３９】
また、例えばパスワードを入力したユーザの勤務形態が登録情報から例えばナースであるならば、図１３に示すようなナース用メインメニュー画面１１９により情報を提供する。
【００４０】
本実施の形態において、医療機器の取扱の変更（医療機器のバージョンアップに伴う）や取扱上の注意点があらたに発生した場合には、ユーザのアクセス日時等を管理することで、ユーザが閲覧していない機器に関する改訂された取扱説明情報を提供したり、最新の使用上の注意情報を提供するようにしてもよく、これにより販売機器に合った（機器と一体の情報提供として）正しい取り扱い方の提供、取扱上の変更管理（機器の変更による取扱説明情報変更、取り扱い方が変更による取扱説明情報変更）が即時にでき、タイムラグによる誤使用が防止でき、さらにオンラインにて取扱説明情報を提供するので、従来のように取扱説明書等を紛失したり、汚れ、破損による見誤りを防止することが可能となる。
【００４１】
図１４ないし図２２は本発明の第２の実施の形態に係わり、図１４は医療機器情報提供システムの作用を説明するフローチャート、図１５は図１４の処理で製品（医療機器）の表示部に表示されるパスワード入力画面を示す図、図１６は図１４の処理で製品（医療機器）の表示部に表示される製品取扱教育ソフト起動画面を示す図、図１７は図１４の処理で製品（医療機器）の表示部に表示される製品取扱教育開始画面を示す図、図１８は図１４の処理で製品（医療機器）の表示部に表示されるｅ教育展開画面を示す図、図１９は図１４の処理で製品（医療機器）の表示部に表示される理解度テスト開始画面を示す図、図２０は図１４の処理で製品（医療機器）の表示部に表示される合格表示画面を示す図、図２１は図１４の処理で製品（医療機器）の表示部に表示されるパスワード発行画面を示す図、図２２は図１４の処理で製品（医療機器）の表示部に表示される不合格表示画面を示す図である。
【００４２】
（構成）
第２の実施の形態は、第１の実施の形態と構成は同じであり、異なる点は処理の流れが異なるのみであるので、構成の説明は省略する。
【００４３】
（作用）
本実施の形態では、医療機器の機器情報の提供を可能とするパスワードの発行を、医療機器の取扱方法を製品（医療機器）１０４を用いて受講させた後に行うことで、第１の実施の効果に加えてユーザに医療機器の取扱方法の教育を受ける動機付けを与えることを特徴とする。
【００４４】
図１４に示すように、ステップＳ２１で製品（医療機器）１０４の電源をオンし、ステップＳ２２でサービスセンター１０３にインターネット１０１を介してアクセスする。
【００４５】
そして、ステップＳ２３で製品（医療機器）１０４が自らの機種名、機種識別ＩＤ（シリアルナンバ）等の機種情報をサービスセンター１０３に送信し、ステップＳ２４で図１５に示すようなパスワード入力画面１２０を製品（医療機器）１０４の表示部に表示しパスワードの入力を待ち、正しいパスワードが入力されるとステップＳ３４に進み、パスワード入力画面１２０上の「今すぐ受講」ボタンが選択されるとステップＳ２５でサービスセンター１０３より製品取扱教育ソフトをダウンロードし起動し、製品（医療機器）１０４の表示部上に、図１６に示すような製品取扱教育ソフト起動画面１２１を表示する。
【００４６】
そして、製品取扱教育ソフト起動画面１２１上の「次へ」ボタンをマウス等でクリックすることで、ステップＳ２６で製品（医療機器）１０４の表示部上に、図１７に示すような製品取扱教育開始画面１２２を表示し、製品（医療機器）１０４での製品（医療機器）１０４に関する電子的な製品取扱教育（以下、ｅ教育）を開始する。
【００４７】
製品取扱教育開始画面１２２の「次へ」ボタンをクリックすると、図１８に示すようなＱ＆Ａ方式のｅ教育展開画面１２３を製品（医療機器）１０４の表示部上に順次表示し、製品（医療機器）１０４の取り扱いに必要な教育が複数の課程毎になされ、ステップＳ２７で全課程の教育の受講を待つ。
【００４８】
ユーザが全課程の教育を受講し終えると、ステップＳ２８で製品（医療機器）１０４の表示部上に図１９に示すような理解度テスト開始画面１２４を表示し、理解度テスト開始画面１２４の「次へ」ボタンをクリックすることで、製品（医療機器）１０４の取り扱いに必要な情報を習得したかどうかの理解度テストを開始し、理解度テストが終了すると、ステップＳ２９でテスト結果を製品（医療機器）１０４内のハードディスク等に格納する。
【００４９】
ステップＳ３０でサービスセンター１０３は製品（医療機器）１０４に対して理解度テストのテスト結果を要求し、製品（医療機器）１０４は格納している理解度テストのテスト結果をインターネット１０１を介してサービスセンター１０３に送信する。
【００５０】
そして、ステップＳ３１でサービスセンター１０３は機種情報を確認すると共に、テスト結果により合否を判定し、理解度テストに合格すると図２０に示すような確認された機種情報及び結果内容からなる合格表示画面１２５を製品（医療機器）１０４の表示部上に表示する。
【００５１】
合格表示画面１２５の「次へ」ボタンをクリックすることで、サービスセンター１０３はユーザ登録手続きを経ることで、ステップＳ３２で図２１に示すようなパスワード発行画面１２６を製品（医療機器）１０４上に表示し製品（医療機器）１０４の使用を可能にするパスワードを合格したユーザに発行し、ステップＳ３３に進む。
【００５２】
ステップＳ３１で理解度テストに不合格すると、図２２に示すような確認された機種情報及び結果内容からなる不合格表示画面１２７を製品（医療機器）１０４の表示部上に表示し、ユーザにｅ教育の再受講後に再度理解度テストを受けることを促し、機器に関する情報及び関連医療情報の提供サービスなしにステップＳ３５に進む。
【００５３】
そして、製品（医療機器）１０４の使用を可能にするパスワードを発行されたユーザは、ステップＳ３３で購入した製品（医療機器）１０４にパスワードを入力することで、ステップＳ３４に進み、ステップＳ３４で第１の実施の形態のステップＳ９と同様な機器に関する情報及び関連医療情報の提供サービスが開始され、機器に関する情報及び関連医療情報の閲覧後に、ステップＳ３５で製品（医療機器）１０４を使用する。
【００５４】
（効果）
このように本実施の形態では、第１の実施の形態の効果に加え、ユーザに対して、製品（医療機器）１０４を取り扱うのに必要な教育を確実に実施することができると共に、その理解度をチェックすることで的確にユーザの機器扱いレベルを所定レベルに到達させることができる。
【００５５】
なお、上記各実施の形態では、パスワードを発行し、キーボード等で製品（医療機器）１０４にパスワードを入力するとしたが、これに限らず、製品（医療機器）１０４に可搬な媒体、例えばフロッピーディスク（登録商標）、メモリスティック、ＰＣカード等を装着できるスロットを設け、ユーザに製品（医療機器）１０４を介してパスワードを格納した媒体を与え、パスワードを格納した媒体を製品（医療機器）１０４に装填することでパスワードを認識させるようにしてもよく、キーボードが製品（医療機器）１０４になくても該媒体をキー（鍵）として装填すれば機器に関する情報及び関連医療情報の提供サービスが行え、、またパスワードを忘れたとしてもユーザに製品（医療機器）１０４の機器に関する情報及び関連医療情報の提供サービスを行うことができる。
【００５６】
本発明は、上述した実施の形態に限定されるものではなく、本発明の要旨を変えない範囲において、種々の変更、改変等が可能である。
【００５７】
【発明の効果】
以上説明したように本発明によれば、迅速且つ安価に機器情報をユーザに提供することができ、かつ、機器の使用状況やユーザからの機器への要望情報を容易且つ安価に収集することができるという効果がある。
【図面の簡単な説明】
【図１】第１の実施の形態に係る内視鏡手術システムの構成を示す構成図
【図２】図１の内視鏡手術システムを有する医療機関に対して構築される医療機器情報提供システムの構成を示す構成図
【図３】図２の医療機器情報提供システムの作用を説明するフローチャート
【図４】図３の処理で製品（医療機器）１０４の表示部に表示されるパスワード入力画面を示す図
【図５】図３の処理で製品（医療機器）の表示部に表示されるメインメニュー画面を示す図
【図６】図３の処理で製品（医療機器）の表示部に表示されるＦＡＱ画面を示す図
【図７】図３の処理で製品（医療機器）の表示部に表示される製品取説画面を示す図
【図８】図３の処理で製品（医療機器）の表示部に表示される新製品情報画面を示す図
【図９】図３の処理で製品（医療機器）の表示部に表示される第１のアンケート入力画面を示す図
【図１０】図３の処理で製品（医療機器）の表示部に表示される最終アンケート入力画面を示す図
【図１１】図３の処理で製品（医療機器）の表示部に表示される専門科目別医師用メインメニュー画面を示す図
【図１２】図３の処理で製品（医療機器）の表示部に表示される学会情報画面を示す図
【図１３】図３の処理で製品（医療機器）の表示部に表示されるナース用メインメニュー画面を示す図
【図１４】本発明の第２の実施の形態に係る医療機器情報提供システムの作用を説明するフローチャート
【図１５】図１４の処理で製品（医療機器）の表示部に表示されるパスワード入力画面を示す図
【図１６】図１４の処理で製品（医療機器）の表示部に表示される製品取扱教育ソフト起動画面を示す図
【図１７】図１４の処理で製品（医療機器）の表示部に表示される製品取扱教育開始画面を示す図
【図１８】図１４の処理で製品（医療機器）の表示部に表示されるｅ教育展開画面を示す図
【図１９】図１４の処理で製品（医療機器）の表示部に表示される理解度テスト開始画面を示す図
【図２０】図１４の処理で製品（医療機器）の表示部に表示される合格表示画面を示す図
【図２１】図１４の処理で製品（医療機器）の表示部に表示されるパスワード発行画面を示す図
【図２２】図１４の処理で製品（医療機器）の表示部に表示される不合格表示画面を示す図
【符号の説明】
２２…システムコントローラ
１００…医療機関
１０１…インターネット
１０３…サービスセンター
１０４…製品（医療機器）
【図１】
2004157606.tif 000003
【図２】
2004157606.tif 000004
【図３】
2004157606.tif 000005
【図４】
2004157606.tif 000006
【図５】
2004157606.tif 000007
【図６】
2004157606.tif 000008
【図７】
2004157606.tif 000009
【図８】
2004157606.tif 000010
【図９】
2004157606.tif 000011
【図１０】
2004157606.tif 000012
【図１１】
2004157606.tif 000013
【図１２】
2004157606.tif 000014
【図１３】
2004157606.tif 000015
【図１４】
2004157606.tif 000016
【図１５】
2004157606.tif 000017
【図１６】
2004157606.tif 000018
【図１７】
2004157606.tif 000019
【図１８】
2004157606.tif 000020
【図１９】
2004157606.tif 000021
【図２０】
2004157606.tif 000022
【図２１】
2004157606.tif 000023
【図２２】
2004157606.tif 000024